(57)【特許請求の範囲】
【請求項１】
開口部(18a)を有する箱体(18)の内部に、物品が収納される収納室(22)が画成されるショーケースにおいて、
前記箱体(18)は、一面に開口を有する外箱(12)内に、同じく一面に開口を有する内箱(14)が開口同士を箱体(18)の厚み方向に整合する状態で間隔を開けて収容されると共に、両箱(12,14)の箱体(18)の厚み方向に離間する開口縁に亘って前記開口部(18a)を画成する接続枠(58)が装着され、両箱(12,14)および接続枠(58)の間に断熱材(16)が充填されて構成され、
前記開口部(18a)の上側を画成する接続枠(58)に一体形成されて、前記収納室(22)の奥側に向けて斜め下向きに前記開口部(18a)側に開口する凹部(60)と、
基板(46)および該基板(46)の実装面に実装した複数のＬＥＤ(44)を備えた照明装置(42)と、
前記接続枠(58)における凹部(60)を画成して該凹部(60)の開口と対向すると共に前記収納室(22)の奥側に向けて傾斜する底壁部(60d)に一体形成されて、前記照明装置(42)の基板(46)を凹部(60)内に装着する装着部(64)とを備え、
前記基板(46)は、前記ＬＥＤ(44)からの光を収納室(22)の奥側に向けて斜め下方に照射する向きで前記凹部(60)内に装着され、
前記照明装置(42)は、開口部(18a)側に突出しないように凹部(60)内に配設された
ことを特徴とするショーケース。
【請求項２】
前記接続枠(58)は、前記箱体(18)の厚み方向に離間する、前記外箱(12)の開口縁をなし箱体(18)の内側に向けて折曲形成された外接続部(54)と、前記内箱(14)の開口縁をなし箱体(18)の外側に向けて折曲形成された内接続部(56)とに装着されて、該箱体(18)の内壁として機能するよう構成された請求項１記載のショーケース。
【請求項３】
前記底壁部(60d)に一体形成されて、該凹部(60)の開口側に突出する複数の位置決めボス(62)と、
前記底壁部(60d)に一体形成されて、前記凹部(60)の開口側に突出する複数の装着部としての係合フック(64)とを備え、
前記基板(46)は、実装面とは反対側の裏面が位置決めボス(62)に当接した状態で、基板(46)の実装面に係合フック(64)が係合することで凹部(60)内に装着される請求項１または２記載のショーケース。
【請求項４】
前記基板(46)に接続する配線(48)は、外箱(12)と内箱(14)との間に充填される断熱材(16)に埋設される請求項１〜３の何れか一項に記載のショーケース。
【発明の詳細な説明】
【技術分野】
【０００１】
本発明は、箱体に内部に画成された収納室に物品を収納するショーケースに関するものである。
【背景技術】
【０００２】
食料品店やコンビニエンスストア等で、食品や飲料品等の物品を冷蔵状態で収納して陳列するショーケースが好適に使用されている。このショーケースは、内箱と外箱との間にウレタン等の発泡断熱材を充填してなる断熱箱体の内部に、物品の収納室が画成される。また、断熱箱体の前部には、前方に開放する開口部が開設され、該開口部は、断熱箱体に配設された扉体により開閉自在に閉成されるようになっている。
【０００３】
前記ショーケースには、収納室を照明する照明装置が配設され、該照明装置の光源として、従来の白熱灯や電球に代えて、発熱性が低いＬＥＤを用いたものが知られている(例えば、特許文献１参照)。特許文献１の照明装置は、ＬＥＤが実装された基板が配設されたランプケースを、収納室を画成する内壁の一部を切欠いて形成した切欠部に配設し、前記ＬＥＤからの光を、ランプケースの開口部を覆うランプカバーで拡散して収納室を照明するよう構成されている。
【先行技術文献】
【特許文献】
【０００４】
【特許文献１】特開２００８−７５９３５号公報
【発明の概要】
【発明が解決しようとする課題】
【０００５】
前記照明装置では、断熱箱体における収納室を画成する内壁に切欠部を形成し、該切欠部に照明装置を埋設しているため、部品点数が増加すると共に、加工工数が増え、製造コストが上昇する問題が指摘される。また照明装置の基板に接続する配線は、断熱箱体の下部に形成される機械室に配設した制御装置に接続するため、該配線を収納室で取り回したり、断熱箱体の底部に配線用の通孔を形成する等の加工が必要となり、手間が掛かっていた。
【０００６】
すなわちこの発明は、従来の技術に内在する前記課題に鑑み、これらを好適に解決するべく提案されたものであって、低コストで収納室を照明することができるショーケースを提供することを目的とする。
【課題を解決するための手段】
【０００７】
前記課題を解決し、所期の目的を達成するため、本発明に係るショーケースは、
開口部を有する箱体の内部に、物品が収納される収納室が画成されるショーケースにおいて、
前記箱体は、一面に開口を有する外箱内に、同じく一面に開口を有する内箱が開口同士を箱体の厚み方向に整合する状態で間隔を開けて収容されると共に、両箱の箱体の厚み方向に離間する開口縁に亘って前記開口部を画成する接続枠が装着され、両箱および接続枠の間に断熱材が充填されて構成され、
前記開口部の上側を画成する接続枠に一体形成されて、前記収納室の奥側に向けて斜め下向きに前記開口部側に開口する凹部と、
基板および該基板の実装面に実装した複数のＬＥＤを備えた照明装置と、
前記接続枠における凹部を画成して該凹部の開口と対向すると共に前記収納室の奥側に向けて傾斜する底壁部に一体形成されて、前記照明装置の基板を凹部内に装着する装着部とを備え、
前記基板は、前記ＬＥＤからの光を収納室の奥側に向けて斜め下方に照射する向きで前記凹部内に装着され、
前記照明装置は、開口部側に突出しないように凹部内に配設されたことを要旨とする。
請求項１の発明によれば、断熱箱体の外箱と内箱とを接続する接続枠に、凹部および基板の装着部を一体形成したから、照明装置の部品点数、該照明装置を配設するための加工工数を低減することができ、製造コストを低く抑えることができると共に組立性が向上する。また、ＬＥＤから照射された光が収納室の奥側に向けて斜め上方から照射され、収納室の全体を照明することができる。また、凹部に配設されている照明装置は、開口部側には突出しないから、清掃性も向上する。
【０００８】
請求項２に係る発明では、前記接続枠は、前記箱体の厚み方向に離間する、前記外箱の開口縁をなし箱体の内側に向けて折曲形成された外接続部と、前記内箱の開口縁をなし箱体の外側に向けて折曲形成された内接続部とに装着されて、該箱体の内壁として機能するよう構成されたことを要旨とする。
【０００９】
請求項３に係る発明では、前記底壁部に一体形成されて、該凹部の開口側に突出する複数の位置決めボスと、
前記底壁部に一体形成されて、前記凹部の開口側に突出する複数の装着部としての係合フックとを備え、
前記基板は、実装面とは反対側の裏面が位置決めボスに当接した状態で、基板の実装面に係合フックが係合することで凹部内に装着されることを要旨とする。
請求項３の発明によれば、基板を係合フックに係合するだけの作業で簡単に組付けることができるから、組立性が向上する。
【００１０】
請求項４に係る発明では、前記基板に接続する配線は、外箱と内箱との間に充填される断熱材に埋設されることを要旨とする。
請求項４の発明によれば、凹部に配設した基板に接続する配線を断熱材に埋設することで、配線を収納室で取り回したり、断熱箱体の底部に通孔を形成する必要はなく、加工工数等を低減し得る。
【発明の効果】
【００１１】
本発明に係るショーケースによれば、照明装置を低コストで配設することができる。
【図面の簡単な説明】
【００１２】
【図１】ショーケースの概略縦断側面図である。
【図２】ショーケースにおける照明装置の配設部位を示す要部概略縦断側面図である。
【図３】ショーケースの要部を示す概略縦断背面図である。
【図４】実施例に係るショーケースにおける照明装置の配設部位を示す要部概略縦断側面図である。
【図５】実施例に係るショーケースの要部を示す概略縦断背面図である。
【発明を実施するための形態】
【００１３】
次に、本発明に係るショーケースにつき、好適な実施例を挙げて、添付図面を参照して以下に説明する。なお、以下の説明において、前・後および左・右とは、特に断りのない限り、ショーケースを正面側(前面開口部側)から見た場合において指称するものとする。
【００１４】
実装面に複数のＬＥＤを実装した基板が、前記ＬＥＤから収納室に向けて光を照射する向きで内箱の凹部に装着される照明装置を備えたショーケース１０について、図１を参照して説明する。図１に示す如く、ショーケース１０は、外箱１２と、該外箱１２内に間隔を開けて収容される内箱１４と、外箱１２と内箱１４との間に充填されたウレタン等の発泡断熱材(断熱材)１６からなる断熱箱体(箱体)１８が、ケーシング２０に載置されて構成される。断熱箱体１８の内部には、食品や飲料品等の物品が収納される収納室２２が画成されると共に、該収納室２２とは仕切板２４により上下の関係で仕切られた冷却室２６が、該断熱箱体１８の内部下方に画成されている。
【００１５】
前記ケーシング２０の内部には、圧縮機や凝縮器等からなる冷凍装置(図示せず)が収納される機械室２８が画成されている。また前記冷却室２６には、冷凍装置から冷媒が循環供給される冷却器および冷気循環用の冷却ファン(何れも図示せず)が収容されており、該冷却ファンを駆動することで、収納室２２の空気を冷却室２６に取込み、冷却器で冷却された冷却室２６の冷気を収納室２２に送出するようになっている。
【００１６】
前記外箱１２は、前面(一面)に矩形状の開口が形成され、前記内箱１４は、前面(一面)に矩形状の開口が形成され、外箱１２の内部に内箱１４を開口同士を整合する状態で収容することで、断熱箱体１８の前部には、図１に示す如く、前方に開放する矩形状の前面開口部１８ａが形成される。この前面開口部１８ａは、断熱箱体１８の前面に枢支された扉体３０により開閉自在に閉成されるよう構成してある。また扉体３０は、矩形状の枠体３０ａに、例えばガラスやアクリル板等の透明板３０ｂを配設して、内部を視認し得るよう構成される。
【００１７】
前記収納室２２を画成する内箱１４における左右の両内壁面には、上下方向に離間する複数の係止部３２が、前後に離間して設けられ、同一水平面内に位置する複数の係止部３２に棚部材としての棚網３４が載置される。また棚網３４は、図１に示すように上下方向に多段で配設され、夫々の棚網３４に物品を載置するよう構成されている。
【００１８】
前記内箱１４は、断熱箱体１８の内壁を構成するものであって、該内箱１４における前記前面開口部１８ａの上方に臨む部位には、図２に示す如く、前記収納室２２側に開口する凹部３６が一体形成されている。また凹部３６は、図３に示す如く、内箱１４における左右方向の略全長に亘って形成してある。前記凹部３６は、図２に示す如く、内箱１４における上角部で開口しており、該開口部３６ａを挟んで対向する前壁部３６ｂおよび後壁部３６ｃと、前壁部３６ｂと後壁部３６ｃの開口部３６ａから離間する端部間に連設された底壁部３６ｄとから構成される。また前後の壁部３６ｂ,３６ｃは、底壁部３６ｄ側から収納室２２の奥側に向けて所定角度で下方傾斜しており、従って前記底壁部３６ｄは、収納室２２の奥側に向けて斜め下方を指向している。なお、前壁部３６ｂにおける開口部３６ａ側の端部には、開口縁をなす接合部１４ａが前面開口部１８ａと平行に延在するよう形成され、該接合部１４ａが、前記外箱１２の開口縁をなす接合部１２ａに接合されている。
【００１９】
前記凹部３６の底壁部３６ｄには、複数の位置決めボス３８と、複数の係合フック(装着部)４０が一体形成され、これら位置決めボス３８と係合フック４０によって凹部３６に照明装置４２が配設される。係合フック４０は、底壁部３６ｄの前後方向(前壁部３６ｂと後壁部３６ｃとの対向方向)に離間する一対の係合フック４０,４０を１組として、複数組が図３に示すように左右方向に離間して形成されている。また、位置決めボス３８についても、係合フック４０と同様に一対の位置決めボス３８,３８を１組として、複数組を左右方向に離間して形成してある。なお、凹部３６の深さ、すなわち開口部３６ａから底壁部３６ｄまでの長さは、位置決めボス３８および係合フック４０を介して凹部３６内に配設した照明装置４２が、収納室２２側に突出しない寸法に設定されている。
【００２０】
前記照明装置４２は、複数かつ同じ発光色のＬＥＤ４４を基板４６の実装面に１列に直線状に実装して構成され、基板４６が、その実装面とは反対側の面(裏面)を前記位置決めボス３８に当接した状態で、長手方向に延在する縁部が前後両側から前記係合フック４０,４０に係合することで凹部３６内に装着されるよう構成される(図２参照)。なお、前記ＬＥＤ４４の発光色としては、食料品等を収納するショーケース１０では白色のものが好ましい。
【００２１】
前記基板４６に実装されるＬＥＤ４４は、砲弾型であって、光軸が基板４６の実装面と直交する方向を向くように実装されている。そして、基板４６は、図２に示す如く、前記底壁部３６ｄと平行な姿勢で凹部３６に装着されており、該凹部３６の開口部３６ａを指向する実装面に実装されているＬＥＤ４４からの光は、前記収納室２２の奥側に向けて斜め下方に照射するよう構成される。また基板４６に接続する配線４８は、図１に示す如く、前記外箱１２と内箱１４との間、すなわち発泡断熱材１６に埋設された状態で前記機械室２８まで延在し、該機械室２８に配設した制御装置５０に接続されている。なお、凹部３６の底壁部３６ｄおよび外箱１２の底部には、配線４８を挿通するための通孔(図示せず)が穿設されている。
【００２２】
次に、前記ショーケース１０の作用につき、以下説明する。
【００２３】
前記照明装置４２のＬＥＤ４４を点灯することにより、該ＬＥＤ４４から照射された光が前記収納室２２の奥側に向けて斜め上方から照射され、収納室２２の全体を照明することができ、前記棚網３４に載置されている物品を良好に視認させることができる。また、前記ＬＥＤ４４として指向性の強い砲弾型ＬＥＤを用いることで、収納室２２の奥側まで充分に光を照射することができ、収納室２２の奥側が暗くなるのは防止される。前記凹部３６に配設されている照明装置４２は、図２に示す如く、収納室２２側には突出しないから、収納室２２の内容積を減少させることはなく、また清掃性も向上する。更に、照明装置４２のＬＥＤ４４の発熱量は小さいから、当該照明装置４２の周囲を覆っている発泡断熱材１６が２次発泡する危険性がなく、該照明装置４２の周囲に臨む樹脂部品に対する熱影響も抑制できると共に、収納室２２内の温度上昇も抑制でき、冷却能力の向上も期待できる。
【００２４】
前記照明装置４２が配設される凹部３６、基板４６を装着する係合フック４０および位置決めボス３８は、断熱箱体１８を構成する内箱１４に一体形成したものであるから、照明装置４２において基板４６を配設するためのランプケース、該ランプケースを取付けるための手段を省略することができ、照明装置４２を配設するための部品点数を低減し得ると共に製造コストを低廉に抑えることができる。
【００２５】
また、前記照明装置４２は、基板４６を係合フック４０に係合するだけの作業で簡単に組付けることができるから、組立性が向上する。しかも、前記凹部３６に照明装置４２を配設した内箱１４を外箱１２内に組付けると共に、基板４６に接続する配線４８を内箱１４および外箱１２の対応する通孔に挿通して両箱１２,１４の空間に臨ませた状態で、該空間に発泡断熱材１６を充填することで、該配線４８を発泡断熱材１６に埋設した状態で断熱箱体１８と一体とすることができる。すなわち、照明装置４２の配線４８を収納室２２で取り回したり、断熱箱体１８の底部に収納室２２と機械室２８とを連通するための通孔を形成する必要はなく、配線４８の取り扱いが容易になると共に加工および組立工数を低減することができる。
【実施例】
【００２６】
図４および図５は、実施例に係るショーケース５２を示すものであって、該ショーケース５２の基本的な構成は前述したショーケース１０と同じであるので、異なる部分についてのみ説明し、同一の部材については同じ符号を付して説明を省略する。
【００２７】
一面が開口する箱状に形成される外箱１２の内部に、同じく一面が開口する箱状に形成される内箱１４が、開口同士を整合する状態で間隔を開けて収容される。図４に示す如く、外箱１２の開口縁をなす外接続部５４が内側に向けて折曲形成されると共に、内箱１４の開口縁をなす内接続部５６が外側に向けて折曲形成されて、両接続部５４,５６が所定間隔離間して前後に対向するよう構成される。そして、両接続部(開口縁)５４,５６に接続枠５８が装着されることで、両箱１２,１４が所要の空間を存した状態で組立てられ、該空間に発泡断熱材１６が充填されることで断熱箱体１８が構成される。また、両箱１２,１４の接続部５４,５６および接続枠５８により、断熱箱体１８の前面開口部１８ａが画成されるようになっており、該接続枠５８が断熱箱体１８の内壁として機能している。
【００２８】
前記前面開口部１８ａにおける上側の内壁を構成する接続枠５８には、前面開口部１８ａ側に開口する凹部６０が、左右方向に所定長さ寸法で一体形成されている(図５参照)。接続枠５８の凹部６０は、図２に示す如く、前面開口部１８ａ側の開口部６０ａを挟んで対向する前壁部６０ｂおよび後壁部６０ｃと、前壁部６０ｂと後壁部６０ｃの開口部６０ａから離間する端部間に連設された底壁部６０ｄとから構成される。また前後の壁部６０ｂ,６０ｃは、底壁部６０ｄ側から収納室２２の奥側に向けて所定角度で下方傾斜しており、前記底壁部６０ｄは、収納室２２の奥側に向けて斜め下方を指向している。前壁部６０ｂにおける開口部６０ａ側の端部に、外箱１２の外接続部５４の内側に接続する外接合片５８ａが一体形成されると共に、後壁部６０ｃにおける開口部６０ａ側の端部に、内箱１４の内接続部５６の内側に接続する内接合片５８ｂが一体形成されている。
【００２９】
前記接続枠５８の底壁部５８ｄには、位置決めボス６２および基板用の係合フック(装着部)６４が一体形成され、該位置決めボス６２および係合フック６４を介して前記照明装置４２が配設される。位置決めボス６２および係合フック６４の構成は、前記位置決めボス３８および係合フック４０と同一であって、前記基板４６の裏面を位置決めボス６２に当接した状態で前記係合フック６４に係合することで、照明装置４２は、凹部６０内においてＬＥＤ４４からの光が、前記収納室２２の奥側に向けて斜め下方に照射する姿勢で配設される。また凹部６０の底壁部６０ｄに通孔(図示せず)が穿設され、基板４６に接続されている配線４８が該通孔を介して前記空間内に挿入されるよう構成される。そして、配線４８は、前記発泡断熱材１６に埋設された状態で前記機械室２８まで延在し、該機械室２８に配設した制御装置５０に接続されるようになっている。なお、前記凹部６０に装着される照明装置４２は、前面開口部１８ａ側に突出しないよう構成され、清掃性が低下しないよう構成される。
【００３０】
実施例のショーケース５２では、外箱１２と内箱１４との接続部(開口縁)５４,５６に装着される接続枠５８に、凹部６０、係合フック６４および位置決めボス６２を一体形成したから、照明装置４２を配設するための部品点数や加工工数を低減し、製造コストを低廉に抑えることができる。また、実施例のショーケース５２においても、その他、前記ショーケース１０と同様な作用効果を奏する。
【００３１】
(変更例)
本願は前述した構成に限定されるものではなく、その他の構成を適宜に採用することができる。
１．内箱の上角部に凹部を形成したが、内箱の天壁に凹部を形成し、該凹部に配設した照明装置のＬＥＤの光が、収納室の奥側に向けて斜めに照射する姿勢で配設するものであってもよい。
２．１つの凹部を左右方向に所定長さで形成した場合で説明したが、左右方向に所定長さを有する複数の凹部を、左右方向に所定間隔離間して直列に形成し、各凹部に照明装置を配設する構成を採用することができる。
３．照明装置を凹部に装着するための装着部は、実施例の係合フックに限定されるものではなく、照明装置に係合して位置決め保持し得る各種形状のものを採用し得る。
４．ショーケースとして収納室を冷却して物品を冷却貯蔵する構成で説明したが、ショーケースとしては、収納室を常温あるいはヒータで加温するもの等、その他各種の方式のものであってもよい。すなわち、常温で物品を収納するショーケースであれば、該ショーケースを構成する箱体は、断熱構造である必要はない。
【符号の説明】
【００３２】
１２ 外箱，１４ 内箱(内壁)，１６ 発泡断熱材(断熱材)，１８ 断熱箱体(箱体)
１８ａ 前面開口部(開口部)，２２ 収納室，４２ 照明装置，４４ ＬＥＤ
４６ 基板，４８ 配線，５４ 外接続部，５６ 内接続部，５８ 接続枠(内壁)
６０ 凹部，６０ｄ 底壁部，６２ 位置決めボス，６４ 係合フック(装着部)
【図１】
0005531126.tif 000002
【図２】
0005531126.tif 000003
【図３】
0005531126.tif 000004
【図４】
0005531126.tif 000005
【図５】
0005531126.tif 000006